(57)【要約】      （修正有）【課題】胡弓の中子先を支持して演奏する場合、中子先を確実に支持し安定させ、かつ着衣も損傷させない胡弓演奏用補助具を提供する。【解決手段】膝上部で保持可能な巻回部２と、巻回部２の一端に一体連結した中子先支持可能な受け部６とからなる。巻回部２は膝上部を巻ける長さを有し、柔軟性と強度を有する絹や木綿の布材や、合成樹脂の繊維材質からなる細長い筒状構造で、膝上部太股下部との当接部の筒状内部に太股当接具を有し、太股当接具を固定する固定具８を有する。受け部６は中子先を回動或いは回転自在に支持できる長さと幅及び厚みを有した一端開口の袋状構造とする。【選択図】図１
0003190776.tif 000002
【実用新案登録請求の範囲】
【請求項１】
膝上部で保持可能な巻回部と、該巻回部の一端に一体連結した中子先支持可能な受け部とからなる胡弓演奏用補助具において、該巻回部が膝上部を巻ける長さを有し、柔軟性と強度を有する絹や木綿や不織布の布材や、合成樹脂の繊維材からなる細長い筒状構造で、膝上部太股下部との当接部の筒状内部に太股当接具を有し、該太股当接具を固定する固定具を有する構造で、該受け部が中子先を回動或いは回転自在に支持できる長さと幅及び厚みを有した一端開口の袋状構造であることを特徴とする胡弓演奏用補助具。
【請求項２】
前記巻回部の太股当接具が、アルミ板やプラスチック板の可撓性材からなり、前記巻回部の固定具に一体連結した固定用の構造を有する長さ、幅及び湾曲形状が自在の板状構造であることを特徴とする請求項１記載の胡弓演奏用補助具。
【請求項３】
前記巻回部の膝上部太股下部当接具の固定具が紐結び構造であり、前記巻回部の膝上部太股下部当接具が固定用切り欠構造であることを特徴とする請求項１又は２記載の胡弓演奏用補助具。
【考案の詳細な説明】
【技術分野】
【０００１】
本考案は、胡弓演奏用補助具に関し、さらに詳しくは胡弓を膝上部で支持して演奏する際の胡弓の中子先保持具に関する。
【背景技術】
【０００２】
従来、胡弓を演奏する場合は、胡弓の胴の表面を前に向けて棹を直立して、胡弓の胴を貫いて出ている棹の下端部である中子先（以下中子先と記す）を膝の上に立てるか、中子先を両膝の間に挟むか或いは中子先を床上に立てて支持し、これを支点として胡弓を回転させ、必要な弦を選択しながら演奏している。
【０００３】
しかしながら、胡弓の中子先を膝の上等で支持して演奏する場合には、膝の上等で中子先が移動し、弦の位置もずれて必要な音程を奏することができないことがあり、胡弓の中子先は膝の上等で確実に支持することが求められている。
【０００４】
ところが、中子先が移動しないように意識して演奏すると、膝などに無理な力が入り演奏姿勢を崩し、疲労を生ずることにもなり、良い演奏ができなくなり、さらに、中子先の先端は先細形状であるので、回転させると先端部が接する和服等の膝の上部分に摩耗等で損傷を加えている。
【０００５】
これらの問題を解決させることを目的に、中子先を膝の上部で確実に支持して安定させ、かつ着衣の損傷を防ぐことを目的に、膝の上部と中子先との間に長方形の当て布を使用する方法（例えば、特許文献１参照）も開示されているが、該当て布では中子先が一定位置に安定せず、さらに当て布自体の固定も不十分であるので、膝の上部を移動することがあり課題は残されたままであった。
【先行技術文献】
【特許文献】
【０００６】
【特許文献１】特開２０００−９９００３号  公報
【考案の概要】
【考案が解決しようとする課題】
【０００７】
本考案は、上記課題を解決するためになされたものであり、胡弓の中子先を支持して演奏する場合、中子先を確実に支持し安定させ、かつ着衣も損傷させない胡弓演奏用補助具を提供することである。
【課題を解決するための手段】
【０００８】
本考案は、膝から太股によって形成される部分であって、太股上や太股下の空間をも含む膝上部（以下膝上部と記す）で支持が可能な巻回部と、該巻回部の一端部に一体連結した中子先支持可能な受け部とからなる胡弓演奏用補助具において、該巻回部が膝上部を巻ける長さを有し、柔軟性と強度を有する絹や木綿や不織布等の布材や合成樹脂等の繊維材からなる細長い筒状構造で、膝上部太股下部との当接部の筒状内部に太股当接具を有し、該太股当接具を固定する固定具を有する構造で、該受け部が中子先を回動或いは回転自在に支持できる長さと幅及び幅を有した一端開口の袋状構造であることを特徴とする。
【０００９】
つぎに、前記巻回部の太股当接具が、アルミ板やプラスチック板等の可撓性材からなり、前記巻回部の固定具に一体連結した固定用の長さ、幅、厚み及び湾曲形状が自在の板状構造であることを特徴とする。
【００１０】
さらに、前記巻回部の膝上部太股下部当接具の固定具が紐結び構造であり、前記巻回部の膝上部太股下部当接具が固定用切り欠構造であることを特徴とする。
【考案の効果】
【００１１】
従来の膝上部と中子先との間に長方形の当て布を使用する方法等では、中子先が一定位置に安定せず、さらに当て布自体も固定が不十分であるので、膝の上部を移動して安定した演奏はできなかったが、一方、本考案の胡弓演奏用補助具では、中子先が受け部の所定位置に確実に安定して支持され、受け部の取り付け位置を膝上部太股横部にすると着衣を損傷することもなく、安定した演奏をすることが可能となる。
【図面の簡単な説明】
【００１２】
【図１】本考案の胡弓演奏用補助具の一例を示す正面図。
【図２】本考案の胡弓演奏用補助具の巻回部内の太股当接具の一例を示す正面図。
【図３】本考案の胡弓演奏用補助具の巻回部内の太股当接具の一例を示す左側面図。
【図４】本考案の胡弓演奏用補助具を使用した一例を示す全体斜視図。
【考案を実施するための形態】
【００１３】
以下本考案を実施するための最良の形態を具体的に示した実施の形態について、図面を参照しながら説明する。なお、この実施の形態にのみ本考案が限定されるものではない。
【実施例】
【００１４】
図１は、本考案の胡弓演奏用補助具の一例を示す正面図、図２、図３は本考案の胡弓演奏用補助具の巻回部内の太股当接具の一例を示す平面図で、図４は本考案の胡弓演奏用補助具を使用した一例を示す斜視図である。
【００１５】
図１、図２に示すように、本考案の胡弓演奏用補助具１は、膝上部で保持可能な巻回部２と、該巻回部２の一端に一体連結した胡弓の胴３を貫いている棹４の先端部である中子先５が支持可能な受け部６とからなる基本構造を有する。
【００１６】
前記巻回部２は膝上部を巻ける長さを有し、柔軟性を有する絹や木綿や不織布等の布材や、合成樹脂の繊維材からなり、適宜の強度を得るために重ね縫いされた細長い筒状構造で、膝上部太股下部との当接部の筒状内部に太股当接具７を有し、該太股当接具７を筒状外部から固定する固定具８を有する構造で、該受け部６は該巻回部２上の一端から適宜の長さで折畳んで設けられた部分であり、中子先５を回動或いは回転自在に支持できる長さと幅及び厚みを有した一端開口の袋状構造であることを特徴とし、胡弓の中子先５を膝上部に確実に支持することを可能とする。
【００１７】
次に、図３、図４に示すように、前記巻回部２の太股当接具７が、アルミ板やプラスチック板等の可撓性材からなり、前記巻回部２の太股当接具７の固定具８に一体連結した固定用の構造を有する長さ、幅及び湾曲形状が自在の板状構造であることを特徴とし、前記胡弓演奏用補助具１の巻回部２の膝上部太股下部への固定を安定させることが可能となる。
【００１８】
さらに、図４に示すように、前記巻回部２の膝上部太股下部当接具７の固定具８が紐結び構造であり、前記巻回部２の膝上部太股下部当接具７が固定用切り欠９を有する構造であることを特徴とし、前記胡弓演奏用補助具１の巻回部２内の太股当接具７の固定を安定させることが可能となる。
【産業上の利用可能性】
【００１９】
本考案の胡弓演奏用補助具は、胡弓の演奏のみに限定されることなく、摺弦楽器である胡弓と同様の二胡や三味線等の擦弦楽器演奏用補助具としての応用も可能である。
【符号の説明】
【００２０】
１  胡弓演奏用補助具
２  巻回部
３  胡弓の胴
４  胡弓の胴を貫く棹
５  胡弓の中子先
６  受け部
７  胡弓の中子先受け部膝上部太股下部当接具
８  胡弓の中子先受け部膝上部太股下部当接具の固定具
９  胡弓の中子先受け部膝上部太股下部当接具の固定用切り欠
【図１】
0003190776.tif 000003
【図２】
0003190776.tif 000004
【図３】
0003190776.tif 000005
【図４】
0003190776.tif 000006